(57)【特許請求の範囲】
【請求項１】
第１の信号を発生するための装置であって、
前記第１の信号を生成するために、設定された電流制御信号に従って第１の電流を発生するように適合された電流源、ここにおいて、前記電流源は、複数の電流パスを有する；
較正手続きを実行するかどうか決定する較正モジュール；
前記較正モジュールが較正手続きを実行すると決定する場合：
前記電流源を制御して前記第１の電流を無効にするスイッチ；
前記第１の電流の関数として第２の電流を発生するように適合された電流サンプリングモジュール、ここにおいて、前記電流サンプリングモジュールは、前記複数の電流パスのうちの一部のレプリカを有する；
第３の電流を発生するように適合された基準電流モジュール；および
前記第２および第３の電流に基づいて電流制御信号を発生し、前記第２の電流が前記第３の電流に等しくなるよう前記電流制御信号を調整し、前記調整された電流制御信号を設定するようにさらに適合された前記較正モジュール
を具備し、前記電流制御信号は、前記第１の電流の量と、前記第２の電流の量とを制御する、装置。
【請求項２】
前記第２の電流は、前記第１の電流に比例するかまたは等しい、
請求項１に記載の装置。
【請求項３】
前記基準電流モジュールは、バンドキャップ電流源を具備してなる、
請求項１に記載の装置。
【請求項４】
前記電流源は、複数の選択可能な電流パス（selectable current paths）を具備してなる、
請求項１に記載の装置。
【請求項５】
前記選択可能な電流パスは、バイナリ荷重電流（binary-weighted currents）を生成するように適合されている、
請求項４に記載の装置。
【請求項６】
前記第１の電流は、前記第１の電流の振幅を規定する第２の信号および前記第１の電流の振幅変化のタイミングを規定する第３の信号に基づく、
請求項１に記載の装置。
【請求項７】
前記第１の信号を発生するように前記第１の電流が流れるインピーダンス素子をさらに具備してなる、
請求項１に記載の装置。
【請求項８】
前記第１の信号は規定パルス（a defined pulse）を具備してなる、
請求項１に記載の装置。
【請求項９】
前記較正モジュールは、規定時間または規定環境パラメータと、発生されていない前記第１の信号とに基づいて、前記較正手続きを行うかどうか決定するように適合されている、
請求項１に記載の装置。
【請求項１０】
前記規定環境パラメータは、環境温度、電源電圧、パルス繰り返し周波数（ＰＲＦ）、または、パルス振幅要件（pulse amplitude requirement）における変化を具備してなる、
請求項９に記載の装置。
【請求項１１】
第１の信号を発生する方法であって、
前記第１の信号を生成するために、設定された電流制御信号に従って第１の電流を発生すること、ここにおいて、前記第１の電流は、複数の電流パスによって発生される；
較正手続きが実行されるかどうか決定すること；
前記較正手続きを実行すると決定した場合：
前記第１の電流を発生しないように制御して前記第１の電流を無効化すること；
前記第１の電流の関数として第２の電流を発生すること、ここにおいて、前記第２の電流は、前記複数の電流パスのうちの一部のレプリカによって発生される；
第３の電流を発生すること；
前記第２および第３の電流に基づいて電流制御信号を発生すること；
前記第２の電流が前記第３の電流に等しくなるよう前記電流制御信号を調整すること；および
前記調整された電流制御信号を設定すること；
を具備し、前記電流制御信号は、前記第１の電流の量と、前記第２の電流の量とを制御する、方法。
【請求項１２】
前記第２の電流は、前記第１の電流に比例するかまたは等しい、
請求項１１に記載の方法。
【請求項１３】
前記第３の電流を発生することはバンドキャップ電流を発生することを具備してなる、
請求項１１に記載の方法。
【請求項１４】
前記第１の電流を発生することは、複数の選択可能な電流パス（selectable current paths）を介して一つまたは複数の電流をそれぞれ発生することを具備してなる、
請求項１１に記載の方法。
【請求項１５】
前記第２の電流を発生することは、前記レプリカをアクティブにすること（activating）を具備してなる、
請求項１４に記載の方法。
【請求項１６】
前記第１の電流を発生することは、前記複数の選択可能な電流パスを介してバイナリ荷重電流（binary-weighted currents）をそれぞれ発生することを具備してなる、
請求項１４に記載の方法。
【請求項１７】
前記第１の電流を発生することは、前記第１の電流の振幅を規定する第２の信号および前記第１の電流の振幅変化のタイミングを規定する第３の信号に基づいて、前記第１の電流を発生することを具備してなる、
請求項１１に記載の方法。
【請求項１８】
前記第１の信号を発生するために、インピーダンス素子を介して前記第１の電流を適用することをさらに具備してなる、
請求項１１に記載の方法。
【請求項１９】
前記第１の信号を発生することは、規定パルスを発生することを具備してなる、
請求項１１に記載の方法。
【請求項２０】
前記第１の電流を較正することは、規定時間または規定環境パラメータと、発生されていない前記第１の信号とに基づいて、前記第１の電流を較正することを具備してなる、
請求項１１に記載の方法。
【請求項２１】
前記規定環境パラメータは、環境温度、電源電位、パルス繰り返し周波数（ＰＲＦ）、または、パルス振幅要件（pulse amplitude requirement）における変化を具備してなる、
請求項２０に記載の方法。
【請求項２２】
第１の信号を発生するための装置であって、
前記第１の信号を生成するために、設定された電流制御信号に従って第１の電流を発生するための手段、ここにおいて、前記第１の電流は、複数の電流パスによって発生される；
較正手続きが実行されるかどうか決定するための手段；
前記決定するための手段が前記較正手続きを実行すると決定した場合：
前記第１の電流を発生するための手段を制御して前記第１の電流を無効化するための手段；
前記第１の電流の関数として第２の電流を発生するための手段、ここにおいて、前記第２の電流は、前記複数の電流パスのうちの一部のレプリカによって発生される；
第３の電流を発生するための手段；
前記第２および第３の電流に基づいて電流制御信号を発生するための手段；
前記第２の電流が前記第３の電流に等しくなるよう前記電流制御信号を調整するための手段；および
前記調整された電流制御信号を設定するための手段；
を具備し、前記電流制御信号は、前記第１の電流の量と、前記第２の電流の量とを制御する、装置。
【請求項２３】
前記第２の電流は、前記第１の電流に比例するかまたは等しい、
請求項２２に記載の装置。
【請求項２４】
前記第３の電流を発生するための手段は、バンドキャップ電流を発生するための手段を具備してなる、
請求項２２に記載の装置。
【請求項２５】
前記第１の電流を発生するための手段は、一つまたは複数の選択可能な電流（selectable currents）を発生するための手段を具備してなる、
請求項２２に記載の装置。
【請求項２６】
前記第２の電流を発生するための手段は、前記レプリカをアクティブにするための手段を具備してなる、
請求項２５に記載の装置。
【請求項２７】
前記複数の選択可能な電流の一つまたは複数を発生するための手段は、一つまたは複数のバイナリ荷重電流（binary-weighted currents）を発生するための手段を具備してなる、
請求項２５に記載の装置。
【請求項２８】
前記第１の電流を発生するための手段は、前記第１の電流の振幅を規定する第２の信号および前記第１の電流の振幅変化のタイミングを規定する第３の信号に基づいて、前記第１の電流を発生するように適合されている、
請求項２２に記載の装置。
【請求項２９】
前記第１の信号を発生するように前記第１の電流が流れるインピーダンスを発生するための手段をさらに具備してなる、
請求項２２に記載の装置。
【請求項３０】
前記第１の信号は規定パルスを具備してなる、
請求項２２に記載の装置。
【請求項３１】
前記較正するための手段は、規定時間または規定環境パラメータと、発生されていない前記第１の信号とに基づいて、前記第１の電流を較正するための手段を具備してなる、
請求項２２に記載の装置。
【請求項３２】
前記規定環境パラメータは、環境温度、電源電位、パルス繰り返し周波数（ＰＲＦ）、または、パルス振幅要件（pulse amplitude requirement）における変化を具備してなる、
請求項３１に記載の装置。
【請求項３３】
オーディオデータを発生するように適合されたトランスデューサ；および
前記オーディオデータを具備してなる第１の信号を送信するように適合されたトランスミッタを具備してなり、ここにおいて、前記トランスミッタは、
前記第１の信号を生成するために、設定された電流制御信号に従って第１の電流を発生するように適合された電流源、ここにおいて、前記電流源は、複数の電流パスを有する；
較正手続きを実行するかどうか決定する較正モジュール；
前記較正モジュールが較正手続きを実行すると決定する場合：
前記電流源を制御して前記第１の電流を無効にするスイッチ；
前記第１の電流の関数として第２の電流を発生するように適合された電流サンプリングモジュール、ここにおいて、前記電流サンプリングモジュールは、前記複数の電流パスのうちの一部のレプリカを有する；
第３の電流を発生するように適合された基準電流モジュール；および
前記第２および第３の電流に基づいて電流制御信号を発生し、前記第２の電流が前記第３の電流に等しくなるよう前記電流制御信号を調整し、前記調整された電流制御信号を設定するようにさらに適合された前記較正モジュール
を具備し、前記電流制御信号は、前記第１の電流の量と、前記第２の電流の量とを制御する、ヘッドセット。
【請求項３４】
ユーザーインターフェース；および
前記ユーザーインターフェースから受信されたデータを具備してなる第１の信号を送信するように適合されたトランスミッタを具備してなり、ここにおいて、前記トランスミッタは、
前記第１の信号を生成するために、設定された電流制御信号に従って第１の電流を発生するように適合された電流源、ここにおいて、前記電流源は、複数の電流パスを有する；
較正手続きを実行するかどうか決定する較正モジュール；
前記較正モジュールが較正手続きを実行すると決定する場合：
前記電流源を制御して前記第１の電流を無効にするスイッチ；
前記第１の電流の関数として第２の電流を発生するように適合された電流サンプリングモジュール、ここにおいて、前記電流サンプリングモジュールは、前記複数の電流パスのうちの一部のレプリカを有する；
第３の電流を発生するように適合された基準電流モジュール；および
前記第２および第３の電流に基づいて電流制御信号を発生し、前記第２の電流が前記第３の電流に等しくなるよう前記電流制御信号を調整し、前記調整された電流制御信号を設定するようにさらに適合された前記較正モジュール
を具備し、前記電流制御信号は、前記第１の電流の量と、前記第２の電流の量とを制御する、ユーザーデバイス。
【請求項３５】
検出データ（sensed data）を発生するように適合されたセンサ；および
前記検出データを具備してなる第１の信号を送信するように適合されたトランスミッタを具備してなり、ここにおいて、前記トランスミッタは、
前記第１の信号を生成するために、設定された電流制御信号に従って第１の電流を発生するように適合された電流源、ここにおいて、前記電流源は、複数の電流パスを有する；
較正手続きを実行するかどうか決定する較正モジュール；
前記較正モジュールが較正手続きを実行すると決定する場合：
前記電流源を制御して前記第１の電流を無効にするスイッチ；
前記第１の電流の関数として第２の電流を発生するように適合された電流サンプリングモジュール、ここにおいて、前記電流サンプリングモジュールは、前記複数の電流パスのうちの一部のレプリカを有する；
第３の電流を発生するように適合された基準電流モジュール；および
前記第２および第３の電流に基づいて電流制御信号を発生し、前記第２の電流が前記第３の電流に等しくなるよう前記電流制御信号を調整し、前記調整された電流制御信号を設定するようにさらに適合された前記較正モジュール
を具備し、前記電流制御信号は、前記第１の電流の量と、前記第２の電流の量とを制御する、検出デバイス（sensing device）。
【発明の詳細な説明】
【技術分野】
【０００１】
本開示は通信システムに係り、より具体的には、規定パルス信号（defined pulse signal）などの送信信号の電力を較正するためのシステムおよび方法に関する。
【背景技術】
【０００２】
通信システムにおいては、信号は、しばしば、無線または自由空間媒体を介して、通信デバイスから遠隔通信装置に送信される。これらの通信デバイスは、通常、無線媒体を介して信号を長距離に伝送するための送信機を採用している。多くの場合、送信機は、信号が送信されているかどうかにかかわらず、連続的に動作している。いくつかのケースでは、送信機を連続的に動作させても構わない。しかし、これは、電力源が限られているときには、送信機は長時間連続動作できない可能性があるので、望ましくないこともある。
【０００３】
例えば、多くの通信デバイスは、携帯電話、パーソナルデジタルアシスタント（ＰＤＡ）、ハンドヘルドデバイス、および、その他のポータブル通信機器などのポータブルデバイスである。これらのポータブル通信デバイスは、さまざまな意図した操作を実行するために、通常、電池などの限られた電源に依存する。限られた電源は、通常、ポータブルデバイスで使用される電力の量に依存する連続使用寿命を有する。一般には、可能な限り連続使用寿命を延ばすことが望ましい。したがって、ポータブル通信デバイスは、さらに高い頻度で、電力をますます消費しないように設計されている。
【０００４】
より高い電力効率で送信機を動作させるための一つの手法は、信号を送信するために、パルスベース（pulse-based）変調技術（例えば、パルス位置（pulse-position）変調）を使用することである。このようなシステムにおいては、送信機は、パルス信号の送信の間中には比較的高い消費電力モードで動作させることができる。しかし、送信機は、パルス信号を送信するために使用されていないときは、電源を節約するために、比較的低消費電力モードで動作する。パルス信号の電力は、環境パラメータ変化を含む多くの要因に基づいて徐々に変動する可能性がある。多くの用途で、これは望ましくない可能性がある。
【発明の概要】
【０００５】
本開示の一態様は、出力信号を発生する装置に関する。前記装置は、前記信号を生成するために、第１の電流を発生するように適合された電流源；前記第１の信号の関数として第２の電流を発生するように適合された電流サンプリングモジョール；第３の電流を発生するように適合された基準電流モジュール；および前記第２および第３の電流に基づいて前記第１の電流を較正するように適合された較正モジュールを具備してなる。他の態様において、前記第２の電流は、実質的に前記第１の電流に比例するかまたは等しい。さらに別の態様において、前記基準電流モジュールは、バンドキャップ電流源を具備してなる。
【０００６】
本開示の別の態様において、前記電流源は、複数の選択可能な電流パス（selectable current paths）を具備してなる。別の態様において、前記電流サンプリングモジュールは、前記電流源の一つまたは複数の電流パスの少なくとも一部のレプリカを具備してなる。さらに別の態様において、前記選択可能な電流パスは、バイナリ荷重電流（binary-weighted currents）、実質的に同じ電流、または、他の規定電流を生成するように適合されている。
【０００７】
本開示のさらに別の態様において、前記第１の電流は、前記第１の電流の振幅を規定する信号および前記第１の電流の振幅変化のタイミングを規定する別の信号に基づく。他の態様において、前記信号を発生する装置は、前記出力信号を発生するように前記第１の電流が流れるインピーダンス素子を具備してなる。さらに別の態様において、前記第出力信号は規定パルスを具備してなる。また別の態様において、前記較正モジュールは、規定時間、規定環境パラメータまたは発生されていない前記第１の信号に基づいて、前記電流源の前記第１の電流を較正するように適合されている。別の態様において、前記規定環境パラメータは、環境温度、電源電位、パルス繰り返し周波数（ＰＲＦ）またはパルス振幅要件における変化を具備してなる。
【０００８】
本開示の別の態様において、他の態様、利点および本開示の新規な特徴は、添付の図面と併せて以下の本開示の詳細な説明を考慮すれば明らかになるであろう。
【図面の簡単な説明】
【０００９】
【図１】図１は、本開示の一態様による電流または電力較正フィーチャ（feature）を含むパルス信号を発生するための例示的な装置のブロック・ダイアグラムを示す図である。
【図２】図２は、本開示の他の態様による電流または電力較正フィーチャ（feature）を含むパルス信号を発生するための例示的な装置のブロック・ダイアグラムを示す図である。
【図３】図３は、本開示の他の態様による例示的なパルス信号のグラフを示す図である。
【図４】図４は、本開示の他の態様による電流または電力較正フィーチャ（feature）を含むパルス信号を発生するための例示的な装置のブロック・ダイアグラムを示す図である。
【図５】図５は、本開示の他の態様によるパルス信号発生器の電流または電力を較正する例示的な方法のフロー・ダイアグラムを示す図である。
【図６】図６は、本開示の他の態様によるパルス信号発生器の電流または電力を較正する他の例示的な方法のフロー・ダイアグラムを示す図である。
【図７】図７は、本開示の他の態様による例示的なトランシーバのブロック・ダイアグラムを示す図である。
【図８】図８は、本開示の他の態様による例示的なトランシーバのブロック・ダイアグラムを示す図である。
【図９Ａ】図９Ａは、本開示の他の態様による様々なパルス変調技術のタイミング・ダイアグラムを示す図である。
【図９Ｂ】図９Ｂは、本開示の他の態様による様々なパルス変調技術のタイミング・ダイアグラムを示す図である。
【図９Ｃ】図９Ｃは、本開示の他の態様による様々なパルス変調技術のタイミング・ダイアグラムを示す図である。
【図９Ｄ】図９Ｄは、本開示の他の態様による様々なパルス変調技術のタイミング・ダイアグラムを示す図である。
【図１０】図１０は、本開示の他の態様による様々なチャネルを介して互いに通信している様々な通信デバイスのブロック・ダイアグラムを示す図である。
【発明を実施するための形態】
【００１０】
本開示の種々の態様を以下に記載する。本明細書内の教示は幅広い多種の形態で実施することができ、そして、本明細書に開示されている特定の構造、機能、または、両方は、単に代表的なものであることは明らかであるはずである。本明細書内の教示に基づいて、当業者は、本明細書に開示された一態様は他の任意の態様（aspects）とは独立に実装することができ、そして、これらの態様の二つ以上は様々な方法で組み合わせることができることは、理解できるはずである。例えば、本明細書に説明された任意の数の態様を用いて、装置が実装されても構わないし、または、方法が実施されても構わない。さらに、本明細書に説明された他の構造、機能、もしくは、構造および機能を追加して、または、一つもしくは複数の他の態様を用いて、このような装置が実装されるか、または、このような方法が実施されても構わない。
【００１１】
図１は、本開示の一態様による電流または電力較正フィーチャ（feature）を含む第１の信号（例えば、規定パルス（defined pulse））を発生するための例示的な装置１００のブロック・ダイアグラムを示す図である。要約すると、装置１００は、第１の電流Ｉ１を発生するための第１の電流発生モジュールを含み、前記第１の電流Ｉ１からパルス信号または他のタイプの信号が生成され得る。さらに、装置１００は、第１の信号の電力レベルを制御するために、および/または、他の目的のために、第１の電流Ｉ１を較正するための第１の電流較正モジュールを含む。
【００１２】
具体的には、装置１００は、第１の電流発生モジュール１０２、第２の電流発生モジュール１０４、第３の電流発生モジュール１０６、および、第１の電流較正モジュール１０８を含む。第１の電流発生モジュール１０２は、第１の電流Ｉ１を発生するように適合され、前記第１の電流Ｉ１から第１の信号が生成され得る。第１の信号は、規定パルス信号（defined pulse signal）または他のタイプの信号を含んでも構わない。第２の電流発生モジュール１０４は、第１の電流Ｉ１の関数として第２の電流Ｉ２を発生するように適合されている。例として、第２の電流Ｉ２は、第１の電流Ｉ１に実質的に比例しても構わないし、または、実質的に等しくても構わない。
【００１３】
装置１００は、さらに第３の電流Ｉ３を発生するように適合された第３の電流発生モジュール１０６を具備する。例として、第３の電流発生モジュール１０６は、プロセスおよび温度の変動に伴い実質的に安定な第３の電流Ｉ３を発生するように構成されたバンドギャップ電流源として構成されても構わない。さらに、装置１００は、第２のＩ２および第３の電流Ｉ３に基づいて第１の電流Ｉ１を較正するために適応された第１の電流較正モジュール１０８を具備しても構わない。
【００１４】
例として、第１の電流較正モジュール１０８は、電流Ｉ２と電流Ｉ２との間の差の関数として制御信号を発生するように適合された電流コンパレータとして構成されても構わない。フィードバックの方法では、第１の電流発生モジュール１０２は、電流Ｉ２およびＩ３が実質的に同じになるように第１の電流Ｉ１を調整することによって、第１の電流較正モジュール１０８により発生された制御信号に応える。これは、第１の電流Ｉ１が少なくとも時々実質的に安定した第３の電流Ｉ３を参照して較正されることを保証する。第１の電流Ｉ１は第１の信号の電力に関連しているので、第１の電流較正モジュール１０８は、第１の信号の電力が、時間および／またはその他に基づいて、調整されることを保証する。
【００１５】
図２は、本開示の他の態様による電流または電力較正フィーチャ（feature）を含むパルス信号を発生するための例示的な装置２００のブロック・ダイアグラムを示す図である。要約すると、装置２００は、上述した電力または電流の較正技術を組み込んでいる。装置２００は、出力信号の生成および電力レベルの較正を支援するための追加のフィーチャをさらに含む。
【００１６】
より具体的には、装置２００は、インピーダンス素子２０２、電流源２０４、電流較正モジュール２０６、電流サンプリングモジュール２０８、および、基準電流モジュール２１０を具備する。インピーダンス素子２０２および電流源２０４は、正の電力供給レール（rail）Ｖddと、図のように接地電位または正の電力供給レールＶddよりも負の電位であり得る、負の電力供給レール（rail）との間に、直列に結合されている。電流源２０４は、振幅制御信号およびタイミング制御信号に応えて電流Ｉ１を発生する。振幅制御信号は、電流Ｉ１の振幅を規定し（define）、タイミング制御信号は、電流Ｉ１の振幅変化のタイミングを規定する。インピーダンス素子と電流源との間のノードで出力信号を発生するために、電流Ｉ１はインピーダンス素子２０２を流れる。インピーダンス素子２０２は、共振器（例えば、ＲＬＣタンク）および／またはインピーダンスマッチングネットワークとして構成されても構わない。
【００１７】
電力または電流の較正の目的および／またはその他の目的のために、電流サンプリングモジュール２０８は、電流源２０４によって生成された電流Ｉ１の関数として実質的に変化する電流Ｉ２を発生する。前述したように、電流Ｉ２は、第１の電流Ｉ１に実質的に比例、または、実質的に等しくても構わない。基準電流モジュール２１０は基準電流Ｉ３を発生する。例えば、基準電流モジュール２１０は、プロセスおよび温度の変動に伴い実質的に安定な電流を発生するように構成されたバンドギャップ電流源として構成されても構わない。
【００１８】
電流較正モジュール２０６は、正の電力供給レールＶddと負の電力供給レール（例えば、グラウンド）との間で、電流サンプリングモジュール２０８および基準電流モジュール２１０にそれぞれ直列に結合されている。電流較正モジュール２０６は、電流Ｉ２およびＩ３に基づいて電流源２０４によって発生される電流Ｉ１を較正するための制御信号を発生する。例として、電流較正モジュール２０６は、電流Ｉ２と電流Ｉ３との間の差の関数として制御信号を発生するように適合された電流コンパレータとして構成されても構わない。電流源２０４は、電流Ｉ２およびＩ３が実質的に同じになるように電流Ｉ１を調整することによって、電流較正モジュール２０６により発生された制御信号に応える。これは、電流Ｉ１の較正、最終的には、出力信号の電力の較正を提供する。
【００１９】
さらに、この例では、電流較正モジュール２０６は、較正手続を実行するためのモジュールを促すことができる一つまたは複数の信号を受信するための入力をさらに含む。例えば、電流較正モジュール２０６は、電流源２０４、時間を示す信号、環境温度を示す信号、出力信号のパルス繰り返し周波数（ＰＲＦ）を示す信号、および、出力信号振幅要件（output signal amplitude requirement）を示す信号に電力を供給する電源電圧（例えばＶdd）を示す信号を受信するための入力を含む。電流較正モジュール２０６は、電源電圧を示す信号に基づいて、較正手続（calibration procedure）を実行しても構わない。代わりに、または、加えて、電流較正モジュール２０６は、時間を指示する信号によって指示されるような規定時間（defined time）に基づいて、電流較正手続を実行しても構わない。代わりに、または、加えて、電流較正モジュール２０６は、温度信号によって示されるような規定しきい値（defined threshold）を超えた環境温度変化に応えて、電流較正手続を実行しても構わない。代わりに、または、加えて、電流較正モジュール２０６は、ＰＲＦ指示信号（PRF-indicating signal）によって示されるような規定しきい値を超えたＰＲＦ中の変化に応えて、電流較正手続を実行しても構わない。代わりに、または、加えて、電流較正モジュール２０６は、振幅要件指示信号（amplitude requirement indicating signal）によって示されるような出力信号中の変化に応えて、電流較正手続を実行しても構わない。
【００２０】
さらに、ＰＲＦに関しては、ＰＲＦの関数として出力信号の電力を変えることが望ましい場合がある。例えば、出力信号の電力をＰＲＦに反比例して変えることが望ましい場合がある。したがって、ＰＲＦが増加したならば、出力信号の電力を減らすることが望ましい場合がある。逆に、ＰＲＦが減少したならば、出力信号の電力を増やすことが望ましい場合がある。これに関して、基準電流モジュール２１０は、ＰＲＦを示す信号を受信するための入力を含んでいる。この信号に応えるために、基準電流モジュール２１０は、ＰＲＦ信号によって示されるようなＰＲＦの変化（change in the PRF）に反比例して、基準Ｉ３を変化させても構わない。較正手続を通じて、電流Ｉ１は基準電流Ｉ３を追跡する。かくして、このようにして電流Ｉ１は、そして、最終的には、出力信号の電力は、ＰＲＦに反比例して変化するように制御されることが可能となる。
【００２１】
図３は、本開示の他の態様による例示的なパルス信号のグラフを示す図である。グラフの縦軸またはｙ軸は信号の振幅を表し、水平またはｘ軸は時間を表す。前述のように、この例では、振幅制御信号は、ステップのパルス（pulse in steps）の振幅を規定する。例えば、時間間隔０．５から０．６２５以内で、パルスの振幅は±１の間で変化しており、これは、この例では、パルスの始まりを示す。時間間隔０．６５から０．７５以内で、パルスの振幅は±３の間で変化している。パルスの振幅は、時間間隔１．１２５から１．３７５で±9の最大値に達するまで、上昇し続ける。それから、振幅は、時間間隔１．８２５から２．０で±１の間で変化する振幅に戻るまで、ステップ状に減少し、これは、パルスの終わりを示す。この例では、パルスの振幅はステップで制御されているが、連続的に制御されても構わないことを理解するべきである。
【００２２】
また、グラフに記載されているように、タイミング制御信号は、パルスの振幅の変化がいつ発生するかを規定する。この例では、振幅の変化は、タイミング制御信号としての機能を果たす実質的に正弦波信号の位相が実質的にゼロ（０）のところで起こる。例えば、この例では、パルスの振幅は、おおよそ時間０．６２５で実質的に正弦波の位相ゼロ（０）のところで±１から±３に変化した。同様に、パルスの振幅は、おおよそ時間０．７５で実質的に正弦波の位相ゼロ（０）のところで±３から±５に変化した。同様に、パルスの振幅は、おおよそ時間０．８７５で実質的に正弦波の位相ゼロ（０）のところで±５から±６に変化するなどする。タイミング制御信号は他の位相または他の方法にて振幅の変化を開始しても構わないことを理解するべきである。
【００２３】
図４は、本開示の他の態様による電力較正フィーチャ（feature）を含む信号を発生するための例示的な装置４００のブロック・ダイアグラムを示す図である。装置４００は、前に論じた電流または電力較正機能を有する信号発生装置のより詳細な例示的な実装を提供する。特に、装置４００は、インピーダンス素子４０２、スイッチング素子Ｍ０、および、電流源４０４を具備する。さらに、電流または電力較正の目的のために、装置４００は、電流較正コントローラ４０６、較正可能（calibration enable）デバイスＭ１、デバイスＭ２−Ｍ３を含んでいるレプリカ電流パス、および、バンドギャップ電流源４０８を具備する。
【００２４】
正の電力供給レールＶddと負の電力供給レール（例えば、グラウンド）との間で、インピーダンス素子４０２、スイッチング素子Ｍ０および電流源４０４は直列に結合されても構わない。インピーダンス素子４０２は、今度は、出力信号の周波数スペクトルの中心または近似に共振周波数を有するように構成されたＲＬＣタンクなどの共振器でも構わない。スイッチング素子Ｍ０は、今度は、イネーブル（ＥＮ）信号を受信するように適合されたゲート、インピーダンス要素４０２に結合されたドレイン、および、電流源４０４に結合されたソースを有する金属酸化膜半導体電界効果トランジスタ（ＭＯＳＦＥＴ）として構成されても構わない。出力信号は、電流源４０４とインピーダンス素子４０２との間のノードで発生されても構わない。電流源４０４は、今度は、電流Ｉ１０からＩ１８を発生するための複数の選択可能な電流パスを具備する。前記複数の電流パスは、直列に接続された電流制御デバイスＭ１０−Ｍ１８と信号タイミング制御デバイスＭ２０−Ｍ２８とをそれぞれ具備する。さらに、電流源４０４は、電流パスＩ１０からＩ１８をそれぞれ有効にするために電流パス選択デバイスＭ００−Ｍ０８を含む。
【００２５】
より具体的には、ＭＯＳＦＥＴ Ｍ００−Ｍ０８のゲートはそれぞれ振幅制御信号ビットＡ０〜Ａ８を受信するように適合されている。ＭＯＳＦＥＴ Ｍ００−Ｍ０８のドレインは、規定バイアス電圧（defined bias voltage）Ｖｂｉａｓを受信するように適合されている。ＭＯＳＦＥＴ Ｍ００−Ｍ０８のソースはそれぞれ電流制御デバイスＭ１０−Ｍ１８のイネーブル入力（enable input）に結合されている。各電流制御デバイスは、並列に結合された複数のＭＯＳＦＥＴを含むバイナリ電流制御として構成されても構わなく、ここにおいて、各ＭＯＳＦＥＴは異なるサイズｋ（例えば、ここにおいて、Ｗはチャネル幅、そして、Ｌはチャネル長である）を有するように構成されている。各電流制御デバイスのサイズは、電流較正コントローラ４０６によって発生された信号Ｓ＜ｋ：０＞によって制御される。電流制御デバイスＭ１０−Ｍ１８のドレインは、ＭＯＳＦＥＴ Ｍ０のソースに結合されている。電流制御デバイスＭ１０−Ｍ１８のソースはそれぞれＭＯＳＦＥＴ Ｍ２０−Ｍ２８のドレインに接続されている。ＭＯＳＦＥＴ Ｍ２０−Ｍ２８のゲートは、タイミング制御信号ＬＯ＿ＣＬＫを受信するように適合されている。ＭＯＳＦＥＴ Ｍ２０−Ｍ２８のソースは負の電力供給レール（例えば、グラウンド）に結合されている。
【００２６】
電流または電力較正に関して、レプリカ電流パスＩ２は、電流源４０４の電流パス（current paths）の少なくとも一つを実質的に複製する。すなわち、デバイスＭ２は、電流源４０４の電流制御デバイス（Ｍ１０−Ｍ１８）と実質的に同じように構成され、そして、そのサイズを制御するために、電流較正コントローラ４０６から制御信号Ｓ＜ｋ：０＞を受信する。同様に、デバイスＭ３は、電流源４０４のタイミング制御装置（Ｍ２０−Ｍ２８）のいくつかと実質的に同じように構成されている。したがって、レプリカ電流パスにより発生された電流Ｉ２は、電流源４０４の電流パスを通って流れる電流の関数（例えば、実質的に比例するかまたは等しい）として変化する。較正は、ＭＯＳＦＥＴ Ｍ１が、較正信号イネーブル信号ＣＡＬを受信するためのゲートと、規定バイアス電圧Ｖbiasを受信するように適合されたドレインと、レプリカ電流パスデバイスＭ２およびＭ３のイネーブル入力に結合されたソースとを含むことを可能とする。電流較正コントローラ４０６およびレプリカ電流パスバイアスＭ２−Ｍ３は、正の電力供給レールＶddと負の電力供給レール（例えば、グラウンド）との間で、直列に接続されている。同様に、電流較正コントローラ４０６は、正の電力供給レールＶddと負の電力供給レール（例えば、グラウンド）との間のバンドギャップ電流源４０８と直列に接続されている。バンドギャップ電流源４０８は、プロセスおよび温度変化の変動に対して、実質的に安定した電流Ｉ３を発生する。
【００２７】
出力信号を発生するプロセスは以下の通りである。前の（previous）電流較正手続から、電流制御信号Ｓ＜ｋ：０＞は電流制御デバイスＭ１０−Ｍ１８を通る電流の量を制御するために設定されている。振幅制御信号Ａ０−Ａ１０の初期のワード（initial word）は、電流制御デバイスＭ１０−Ｍ１８の一つまたは複数をターンオンにして電流源４０４を通る、初期の電流Ｉ１を設定するために選択される。発振信号であってもよいタイミング制御信号ＬＯ＿ＣＬＫは、信号ＬＯ＿ＣＬＫの周波数に応じてこれらのデバイスを周期的にターンオンにするために、ＭＯＳＦＥＴのＭ２０−Ｍ２８のゲートに印加される。次いで、ＭＯＳＦＥＴ Ｍ０をターンオンするために、イネーブル信号（ＥＮ）が設定される。これは、いくつの電流パスがターンオンにされているかによって設定される初期の電流Ｉ１を形成するために、インピーダンス素子４０２を電流源４０４に電気的に結合する。タイミング制御信号ＬＯ＿ＣＬＫの次のサイクルでは、電流Ｉ１の振幅を変えるように、異なる数の電流制御デバイスＭ１０−Ｍ１８をターンオンにするために、振幅制御信号Ａ０−Ａ１０の新しいワード（new word）が選択される。このプロセスは、所望の出力信号（例えば、規定パルス）の完了まで続く。
【００２８】
図４−５の両方を参照すると、電流Ｉ１の較正は以下の通りである。イネーブル信号（ＥＮ）は、インピーダンス素子４０２を電流源４０４に実質的にカップリングしないことによって、電流源４０４を効果的に無効にする（disable）ために、デバイスＭ０をターンオフするために設定される（ブロック５０２）。これは、出力信号が発生されていないときに、電流較正手続が実行されるように行われ得る。較正イネーブル信号（ＣＡＬ）はまた、レプリカ電流パスデバイスＭ２およびＭ３のイネーブル入力にバイアス電圧Ｖｂｉａｓを印加するために、デバイスＭ１をターンオンするために設定される（ブロック５０４）。これは、レプリカ電流パスデバイスに電流Ｉ２を発生させる。バンドギャップ電流源４０８もまたは基準電流Ｉ３を発生するために有効にされる（ブロック５０６）。その後、電流較正コントローラ４０６は、電流Ｉ２および１３に基づいて、電流制御信号Ｓ＜ｋ：０＞を発生する（ブロック５０８）。例として、電流較正コントローラ４０６は、電流Ｉ２およびＩ３の両方が実質的に等しくなるまで、制御信号Ｓ＜ｋ：０＞を調整するためのコンパレータとして構成されても構わない。制御信号Ｓ＜ｋ：０＞が一旦設定されると、較正デバイスＭ１−Ｍ３、バンドギャップ電流源４０８および電流較正コントローラは、無効および／または低消費電力モードに置かれ得る（ブロック５１０）。
【００２９】
図６は、本開示の他の態様によるパルス信号発生器の電力を較正する他の例示的な方法６００のフロー・ダイアグラムを示す図である。方法６００は、電流較正手続をいつ実行するかの例を提供する。方法６００によれば、パルス発生電流（pulse generator current）の較正を実行するための時間をスケジュールするために、タイマーは開始またはリセットされる（ブロック６０２）。ブロック６０４で、指示された時間Ｔが規定しきい値よりも大きいか否かが決定される（ブロック６０４）。その答えがいいえ（ＮＯ）ならば、まだ新しい較正手続には熟くしていないことを意味し、一つまたは複数の環境パラメータ（例えば、温度、電源電圧Ｖdd、ＰＲＦ、信号振幅要件など）の測定が行われる（ブロック６０６）。次いで環境パラメータのいずれかが対応する規定しきい値を超えたか否かが決定される（ブロック６０８）。その答えがいいえ（ＮＯ）ならば、別の電流較正を正当とするであろう、大きな環境の変化はまだ起きていないことを意味し、方法６００はブロック６０２に戻る。
【００３０】
ブロック６０４または６０８での答えが肯定的であれば、電流較正手続を行うには熟している可能性がある。較正手続が開始される前に、パルス発生器が信号を発生しているか、または、信号を発生しようとしているか否かが決定される（ブロック６１０）。パルス信号の送信（transmission）の近くの期間中に電流較正手続を行うのは望ましくないであろう。その答えがイエスであるならば、パルス信号の送信が完了するまで、較正手続は延期される（ブロック６１２）。その答えがいいえ（ＮＯ）であるならば、電流較正手続は行われる（ブロック６１４）。その後、方法６００は、タイマーを再びリセットするために、ブロック６０２に戻り、そして、その次のパルス発生電流の較正のための新しいサイクルを開始する。
【００３１】
図７は、本開示の他の態様による例示的な通信デバイス７００のブロック・ダイアグラムを示す図である。通信デバイス７００は、リモート通信デバイスへの送信のための信号（例えば、規定パルス）を発生する前述した装置のいずれかを使用する通信デバイスの一つの例示的な実装でも構わない。特に、通信デバイス７００は、アンテナ７０２、インピーダンス整合フィルタ、低雑音増幅器（ＬＮＡ）７０６、パルス復調器７０８、受信機ベースバンド処理モジュール７１０、ローカル発振器（ＬＯ）７Ｉ２、送信機ベースバンド処理モジュール７１４、および、パルス発生器（変調器）７１６を具備する。前述したように、パルス発生器（変調器）７１６は、出力信号（例えば、規定パルス）を発生する前述した装置のいずれかを含むように構成しても構わない。
【００３２】
ソース（source）通信デバイスとして、宛先の通信デバイスに送信されるデータは、送信機ベースバンド処理モジュール７１４に送信される。送信機ベースバンド処理モジュール７１８は、発信（outgoing）ベースバンド信号を発生するように送信データを処理する。パルス変調器７１６は、ローカル発振器（ＬＯ）７Ｉ２によって発生された信号を使用して、無線媒体中への送信のための、インピーダンス整合フィルタ７０４を介してアンテナ７０２に提供される、ＲＦ信号を発生するために、発信ベースバンド信号を処理する。送信データは、センサ、マイクロプロセッサ、マイクロコントローラ、ＲＩＳＣプロセッサ、キーボード、マウスやトラックボールなどのポインティングデバイス、マイクロフォンなどのトランスデューサを含むヘッドセットなどのオーディオデバイス、医療機器、靴（a shoe）、データを発生するロボット（robotic）または機械（mechanical）の装置、タッチセンシティブ（touch-sensitve）ディスプレイなどのユーザーインターフェース、ユーザーデバイスなどによって発生されても構わない。例として、ユーザーデバイスは以下の指示（indication）の少なくとも一つを表示するために身につけられる時計（watch）でも構わない：（１）靴内のセンサとの通信に基づいてどれくらい速く走っている；（２）どこまで走ったか；または（３）自分の体に取り付けられたセンサとの通信に基づく自分の心拍数。代替的には、時計の代わりに、ユーザーデバイスが、そのような指示を表示するために自転車に取り付けられて構わない。
【００３３】
宛先の通信デバイスとして、データを搬送するＲＦ信号は、アンテナ７０２でとらえられ（picked up）、そして、インピーダンス整合フィルタ７０４を介してＬＮＡ７０６に適用される。ＬＮＡ７０６は、受信したＲＦ信号を増幅する。パルス復調器７０８は、ローカル発振器（ＬＯ）7１２によって発生された信号を使用して、受信ベースバンド信号を発生するために受信されたＲＦ信号を処理する。受信機ベースバンド処理７１０は、受信データを生成するために受信ベースバンド信号を処理する。次いでデータプロセッサ（不図示）は、受信データに基づいて、一つまたは複数の規定作業（defined operation）を行うことができる。例えば、データプロセッサは、マイクロプロセッサ、マイクロコントローラ、縮小命令セットコンピュータ（ＲＩＳＣ）プロセッサ、ディスプレイ、スピーカーなどのトランスデューサを含むヘッドセットなどのオーディオデバイス、医療機器、時計、靴（a shoe）、データに応答するロボット（robotic）または機械（mechanical）の装置、）ディスプレイなどのユーザーインターフェース、一つまたは複数の発光ダイオード（ＬＥＤ）、ユーザーデバイスなどを含んでも構わない。
【００３４】
図８は、本開示の他の態様による例示的な通信デバイス８００のブロック・ダイアグラムを示す図である。通信デバイス８００は、信号（例えば、規定パルス）を発生する前述の装置のいずれかを使用する通信デバイスの一つの例示的な実装でも構わない。特に、通信デバイス８００は、アンテナ８０２、インピーダンス整合フィルタ８０４、パルス発生器（変調器）８０６、ローカル発振器（ＬＯ）８１０、ベースバンド処理モジュール８０８を具備している。パルス発生器（変調器）８０６は、前述したように、出力信号（例えば、規定パルス）を発生する前述の装置のいずれかを含むように構成されても構わない。
【００３５】
動作中、宛先の通信デバイスに送信されるデータは、ベースバンド処理モジュール８０８に送信される。ベースバンド処理モジュール８０８は、ベースバンド信号を発生するように送信データを処理する。パルス変調器８０６は、ローカル発振器（ＬＯ）８１０によって発生された信号を使用して、無線媒体中への送信のための、インピーダンス整合フィルタ８０４を介してアンテナ８０２に提供される、ＲＦ信号を発生するために、ベースバンド信号を処理する。送信データは、センサ、マイクロプロセッサ、マイクロコントローラ、ＲＩＳＣプロセッサ、キーボード、マウスやトラックボールなどのポインティングデバイス、マイクロフォンなどのトランスデューサを含むヘッドセットなどのオーディオデバイス、医療機器、靴（a shoe）、データを発生するロボット（robotic）または機械（mechanical）の装置、ユーザーインターフェース、ユーザーデバイスなどによって発生されても構わない。
【００３６】
図９Ａは、本明細書に記載された通信システムおよびデバイスのいずれにも採用可能なパルス変調の例としての、異なるパルス繰返し周波数（ＰＲＦ）で規定された異なるチャネル（チャンネル１および２）を示す図である。具体的には、チャンネル1に対してのパルスは、パルス間（pulse-to-pulse）遅延期間９０２に対応するパルス繰り返し周波数（ＰＲＦ）を有する。逆に、チャンネル２に対してのパルスは、パルス間遅延期間９０４に対応するパルス繰り返し周波数（ＰＲＦ）を有する。したがって、この手法は、二つのチャネル間のパルス衝突が比較的低い可能性を有する擬似直交チャネルを規定するために使用することができる。特に、パルス衝突の低可能性は、パルスに対しての低デューティ・サイクルの使用によって達成することができる。例えば、パルス繰り返し周波数（ＰＲＦ）の適切な選択によって、与えられたチャネルに対して実質的に全てのパルスを、他のチャネルのパルスとは異なる時間に送信することが可能である。
【００３７】
与えられたチャネルにより規定されたパルス繰り返し周波数（ＰＲＦ）は、データレート（data rate）またはそのチャネルによってサポートされるレートに依存する可能性がある。例えば、非常に低いデータレート（例えば、毎秒数キロビットまたはＫｂｐｓのオーダー）をサポートするチャネルは、対応する低パルス繰り返し周波数（ＰＲＦ））を採用することができる。逆に、比較的高いデータレート（例えば、毎秒数メガビットまたはＭｂｐｓのオーダー）をサポートするチャネルは、相応に高いパルス繰り返し周波数（ＰＲＦ）を採用することができる。
【００３８】
図９Ｂは、本明細書に記載された通信システムのいずれにも採用可能なパルス変調の例としての、異なるパルス位置またはオフセットで規定された異なるチャネル（チャンネル１および２）を示す図である。チャンネル1に対してのパルスは、（例えば、図示されない、時間内のある点に関しての）第１のパルスオフセットに従って線９０６によって表される時間内のある点で発生される。逆に、チャンネル２に対してのパルスは、第２のパルスオフセットに従って線９０８によって表される時間内のある点で発生される。（矢印９１０で表されるように）パルス間のパルスオフセット差が与えられると、この手法は、二つのチャネル間のパルス衝突の可能性を低減するために使用することができる。チャネル（例えば、本明細書で説明したような）に対して規定された何か他のシグナリングパラメータ（signaling parameters）およびデバイス間のタイミング（例えば、相対的なクロックドリフト）の正確さによっては、異なるパルスオフセットの使用は、直交チャネルまたは疑似直交チャネルを提供するために使用することができる。
【００３９】
図９Ｃは、本明細書に記載された通信システムのいずれにも採用可能な異なるタイミングホッピングシーケンス変調で規定された異なるチャネル（チャンネル１および２）を示す図である。例えば、チャンネル１に対してのパルス（pulses）９１２は、一つの時間ホッピングシーケンスに従って時々発生され得るとともに、チャンネル２に対してのパルス（pulses）９１４は、別の時間ホッピングシーケンスに従って時々発生され得る。使用される特定のシーケンスおよびデバイス間のタイミングの正確さによっては、この手法は、直交チャネルまたは擬似直交チャネルを提供するために使用することができる。例えば、時間ホップされた（time hopped）パルス位置（pulse positions）は、隣接チャンネルからの繰り返しパルス衝突の可能性を減らすために、周期的でなくても構わない。
【００４０】
図９Ｄは、本明細書に記載された通信システムのいずれにも採用可能なパルス変調の例としての異なるタイムスロットで規定された異なるチャネルを示す図である。チャンネルＬ１に対してのパルスは特定の時間インスタンス（time instances）で発生される。同様に、チャンネルＬ２に対してのパルスは他の時間インスタンスで発生される。同様に、チャンネルＬ３に対してのパルスがさらに別の時間インスタンスで発生される。一般に、異なるチャネルに関連する時間インスタンスは、一致せず、または、様々なチャネル間の干渉を低減または除去するために直交していても構わない。
【００４１】
他のパルス変調方式に従ってチャネルを規定するために他の手法を用いても構わないことは理解されるべきである。例えば、チャネルは、異なる拡散擬似乱数シーケンス（spreading pseudo-random number sequences）、または、何か他の適当なパラメータ、または、パラメータに基づいて規定されても構わない。さらに、チャネルは、二つ以上のパラメータの組み合わせに基づいて規定されても構わない。
【００４２】
図１０は、本開示の他の態様による様々なチャネルを介して互いに通信している様々なウルトラ・ワイド・バンド（ＵＷＢ）通信デバイスのブロック・ダイアグラムを示す図である。例えば、ＵＷＢデバイス１ １００２は、二つ同時のＵＷＢチャネル１および２を介して、ＵＷＢ装置２ １００4と通信している。ＵＷＢ装置１００２は、単一のチャネル３を介して、ＵＷＢ装置３ １００６と通信している。そして、ＵＷＢデバイス３ １００６は、同様に、単一のチャネル４を介して、ＵＷＢデバイス４ １００８と通信している。その他の構成も可能である。通信デバイスは、多くの異なるアプリケーションに使用することができ、そして、例えば、ヘッドセット、マイクロフォン、生体センサ、心拍数モニタ、歩数計、心電図装置、時計、靴、リモートコントロール、スイッチ、タイヤ空気圧モニタ、または、他の通信デバイスにより実装されても構わない。医療機器は、スマートバンドエイド、センサ、バイタルサインモニタ、およびその他を含んでも構わない。本明細書に記載された通信デバイスは、自動車、運動および生理的（医学的）の応答を検出するなどの任意のタイプの感覚用途（sensing application）に使用しても構わない。
【００４３】
上記の本開示の態様のいずれも、多くの異なるデバイスで実装することができる。例えば、上述したような医療の用途に加えて、本開示の態様は、健康およびフィットネスの用途に適用できる。さらに、本開示の態様は、異なるタイプの用途の靴で実装することができる。本明細書に記載された開示の任意の態様を組み込むことができる他の多数の用途がある。
【００４４】
本開示の種々の態様が上記に記載されている。本明細書内の教示は多種多様な形態で実施されることができ、そして、任意の特定の構造、機能、またはその両方が、単に代表的なものにすぎないことは、明らかなはずである。本明細書内の教示に基づいて、本明細書内に開示される一態様が、他の任意の態様とは独立に実装することができること、および、これらの態様のうちの二つ以上を様々なやり方で組み合わせることができることは、当業者であれば理解できるであろう。例えば、本明細書内に説明された任意の数の態様を使用して、装置を実装することができ、または、方法を実行することができる。さらに、本明細書内に説明される態様のうちの一つもしくは複数に加えて、または、それら以外の他の構造、機能、もしくは、構造および機能を使用して、装置を実装でき、または、方法を実行することができる。上記の概念のいくつかの例として、いくつかの態様において、同時チャネル（concurrent channels）は、パルス繰り返し周波数に基づいて確立することができる。いくつかの態様において、同時チャネルは、パルス位置またはオフセットに基づいて確立することができる。いくつかの態様において、同時チャネルは、時間ホッピングシーケンスに基づいて確立することができる。いくつかの態様において、同時チャネルは、パルス繰り返し周波数、パルス位置またはオフセット、および、時間ホッピングシーケンスに基づいて確立することができる。
【００４５】
情報および信号は、種々の異なる技術や手法の任意のものを用いて表され得ることは、当業者に理解されるだろう。例えば、上記記載の全体にわたって言及されるデータ、命令、コマンド、情報、信号、ビット、シンボル、およびチップは、電圧、電流、電磁波、磁界または磁界粒子、光場または光粒子、またはこれらを組み合わせたものによって表され得る。
【００４６】
当業者には、本明細書に開示された態様に関連して説明された種々の例示的な論理ブロック、モジュール、プロセッサ、手段、回路およびアルゴリズムステップは、電子的なハードウェア（例えば、ソースコーディングまたは他の手法を用いて設計され得る、デジタル実装、アナログ実装またはこれらの二つの組合せ）、様々な形態のプログラムまたは命令を組み込んでいる設計コード（ここでは、便宜のため、“ソフトウェア”または“ソフトウェアモジュール”ともいう）、または、これらの二つの組合せとして実装され得ることが、さらに理解されるだろう。ハードウェアとソフトウェアとの互換性を明確に示すために、種々の例示的な部品（component）、ブロック、モジュール、回路、およびステップは、全般的にそれらの機能性の観点から、上記では説明してきた。そのような機能性がハードウェアで実装されるかソフトウェアで実装されるかは、個々の用途および全体のシステムに課せられた設計の制約に依存する。当業者は、上記の機能性を、各特定用途につき種々の方法で実装し得るが、そのような実装の決定は、本開示の範囲からの逸脱を生じさると解釈するべきではない。
【００４７】
本明細書内に開示された態様に関連して述べられた種々の例示的な論理ブロック、モジュールおよび回路は、内部に実装され、または、集積回路（“ＩＣ”）、アクセス端末またはアクセスポイントによって実行されても構わない。ＩＣは、汎用プロセッサ、デジタルシグナルプロセッサ（ＤＳＰ）、特定用途向け集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、電気部品、光学部品、機械部品、または本明細書で述べられた機能を実行するように設計されたそれらの任意の組合せを具備してなり、そして、コードまたは命令は、ＩＣの内部、ＩＣの外部、またはそれらの両方で実行し得る。汎用プロセッサは、マイクロプロセッサでも構わないが、代替においては、前記プロセッサは従来のプロセッサ、コントローラ、マイクロコントローラ、またはステートマシンであっても構わない。プロセッサはまた、コンピューティングデバイスを組み合わせたものとして実装されてもよく、例えば、ＤＳＰとマイクロプロセッサとの組合せ、複数のマイクロプロセッサ、ＤＳＰコアと接続された一つ以上のマイクロプロセッサ、または他のそのような構成である。
【００４８】
任意の開示されたプロセス中のステップの任意の特定の順序や階層は、実例の（sample）アプローチの一例であることが理解される。前記プロセス中のステップの任意の特定の順序や階層は、本開示の範囲内に維持しながら、設計選択（design preferences）に基づいて、再編成しても構わない。添付方法（accompanying method）は、実例の順序内でさまざまな段階での現在の要素を主張し、および、特定の順序または階層に限定されることは意図してない。
【００４９】
本明細書に開示された態様に関連して述べられた方法またはアルゴリズムのステップは、ハードウェア、プロセッサによって実行されるソフトウェアモジュール、またはこれら二つを組み合わせたものによって、直接的に具体化され得る。ソフトウェアモジュール（例えば、実行可能な命令および関連データを含む）および他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているコンピュータ可読記憶媒体の任意の他の形態などのデータメモリに存在しても構わない。実例の記憶媒体は、例えばコンピュータ／プロセッサ（ここでは、便宜上、“プロセッサ”ということもある）などの機械に、プロセッサが記憶媒体から情報（例えば、コード）を読み出しおよび記憶媒体に情報を書き込むことができるように、結合されていても構わない。実例の記憶媒体は、プロセッサと一体であってよい。プロセッサおよび記憶媒体は、ＡＳＩＣ内に存在してもよい。ＡＳＩＣは、ユーザ端末内に存在してもよい。代替においては、プロセッサおよび記憶媒体は、ユーザ端末内でディスクリートコンポーネントとして存在してもよい。さらに、いくつかの態様においては、任意の適切なコンピュータプログラムプロダクトは、本開示の一つまたは複数の態様に関連するコードを具備するコンピュータ可読媒体を、具備しても構わない。いくつかの態様において、コンピュータプログラムプロダクトは、包装材料（packaging meterials）を具備しても構わない。
【００５０】
本発明は様々な態様に関連して説明してきたが、本発明はさらなる変更が可能であることが理解されるであろう。この出願は、以下の本発明の任意の変形、使用または適応、一般には、本発明の原理、および、本発明が属する技術の範囲内の既知および慣行内に入るような本開示からの逸脱に及ぶことを意図している。
【図１】
0005922021.tif 000002
【図２】
0005922021.tif 000003
【図３】
0005922021.tif 000004
【図４】
0005922021.tif 000005
【図５】
0005922021.tif 000006
【図６】
0005922021.tif 000007
【図７】
0005922021.tif 000008
【図８】
0005922021.tif 000009
【図９Ａ】
0005922021.tif 000010
【図９Ｂ】
0005922021.tif 000011
【図９Ｃ】
0005922021.tif 000012
【図９Ｄ】
0005922021.tif 000013
【図１０】
0005922021.tif 000014